(57)【要約】【課題】電力消費を抑えつつ、ユーザが容易に情報を得ることが可能な携帯端末装置を提供する。【解決手段】携帯電話機１は、キャビネット２の正面に設けられ、書き換えられた画像を保持するために電力を必要とする第１ディスプレイ３と、第１ディスプレイ３へのユーザによる操作を検出するタッチパネル４と、キャビネット２の背面に設けられ、書き換えられた画像を保持するために電力を必要としない第２ディスプレイ７と、第１ディスプレイ３および第２ディスプレイ７を制御する制御部１１と、を備える。制御部１１は、ユーザの操作に応じた画像を第１ディスプレイ３に表示するとともに、タッチパネル４によりユーザの操作が所定時間検出されない場合に第１ディスプレイ３を消灯し、第１ディスプレイ３の消灯時にユーザにより見られ得る所定の情報を第２ディスプレイ７に表示する。【選択図】図３
2014165703.tif 000002
【特許請求の範囲】
【請求項１】
第１の面に設けられ、書き換えられた画像を保持するために電力を必要とする第１の表示部と、
前記第１の表示部へのユーザによる操作を検出する操作検出部と、
前記第１の面とは異なる第２の面に設けられ、書き換えられた画像を保持するための電力を前記第１の表示部と比較して必要としない第２の表示部と、
前記第１の表示部および前記第２の表示部を制御する制御部と、を備え、
前記制御部は、
前記操作に応じた画像を前記第１の表示部に表示するとともに、前記操作検出部により前記操作が所定時間検出されない場合に前記第１の表示部を消灯し、
前記第１の表示部の消灯時にユーザにより見られ得る所定の情報を前記第２の表示部に表示する、
ことを特徴とする携帯端末装置。
【請求項２】
請求項１に記載の携帯端末装置において、
前記所定の情報は、時刻情報、カレンダー情報、天気情報、メモ情報の少なくとも１つを含む、
ことを特徴とする携帯端末装置。
【請求項３】
請求項１または２に記載の携帯端末装置において、
前記制御部は、
ユーザが前記所定の情報を設定するための設定操作が行われる画面を前記第１の表示部に表示し、
前記操作検出部により前記設定操作が検出されたことに応じて、設定された前記所定の情報を前記第２の表示部に表示する、
ことを特徴とする携帯端末装置。
【請求項４】
請求項３に記載の携帯端末装置において、
前記制御部は、前記設定操作が行われる画面として、複数の候補の中から前記所定の情報を選択するための情報選択画面を前記第１の表示部に表示する、
ことを特徴とする携帯端末装置。
【請求項５】
請求項３に記載の携帯端末装置において、
前記制御部は、前記設定操作が行われる画面として、設定ボタンが設けられたアプリケーションの実行画面を前記第１の表示部に表示し、前記操作検出部により前記設定ボタンへの操作が検出されると、前記実行画面に表された情報を前記所定の情報として前記第２の表示部に表示する、
ことを特徴とする携帯端末装置。
【請求項６】
請求項１ないし５の何れか一項に記載の携帯端末装置において、
バッテリー残量を検出する残量検出部を、さらに備え、
前記制御部は、前記バッテリー残量が所定量より低下した場合に、前記バッテリー残量がなくなった状態でも表示を維持する情報として予め定められた情報を、前記所定の情報として前記第２の表示部に表示する、
ことを特徴とする携帯端末装置。
【請求項７】
請求項１ないし６の何れか一項に記載の携帯端末装置において、
情報を受信する受信部を、さらに備え、
前記制御部は、前記受信部により災害情報を受信した場合に、当該災害情報を前記所定
の情報として前記第２の表示部に表示する、
ことを特徴とする携帯端末装置。
【請求項８】
請求項１ないし７の何れか一項に記載の携帯端末装置において、
前記第２の面は、前記第１の面に背向する、
ことを特徴とする携帯端末装置。
【発明の詳細な説明】
【技術分野】
【０００１】
本発明は、携帯電話機、ＰＤＡ（Personal Digital Assistant）、タブレットＰＣ（Tablet PC）および電子書籍端末等の携帯端末装置に関する。
【背景技術】
【０００２】
従来、筐体の正面側にディスプレイが配置された携帯電話機が知られている。かかる携帯電話機では、たとえば、略長方形の輪郭を有する筺体の正面側に、筺体より僅かに小さい略長方形のディスプレイが配置される。さらに、このディスプレイに重なるようにタッチパネルが配置され、ディスプレイに対するユーザのタッチ操作に基づいて、各種アプリケーションプログラム（以下、単に「アプリケーション」と称する。）が実行される（たとえば、特許文献１参照）。
【先行技術文献】
【特許文献】
【０００３】
【特許文献１】特開２０１２−２０３８９５号公報
【発明の概要】
【発明が解決しようとする課題】
【０００４】
上記の携帯電話機に用いられるディスプレイは、通常、液晶ディスプレイや有機ＥＬディスプレイ等、ディスプレイに表示される画像を書き換えるために電力を必要とするとともに書き換えられた画像を保持するために電力を必要とするタイプのディスプレイである。
【０００５】
上記の携帯電話機では、電力消費を抑えるために、ユーザが携帯電話機を使用しない状況になると、ディスプレイが消灯する。このため、ユーザは、時刻、カレンダー、天気予報等、ちょっとした情報を確認する際に、逐一、携帯電話機を操作してディスプレイを点灯させる必要がある。
【０００６】
そこで、本発明は、電力消費を抑えつつ、ユーザが容易に情報を得ることが可能な携帯端末装置を提供することを目的とする。
【課題を解決するための手段】
【０００７】
本発明に係る携帯端末装置は、第１の面に設けられ、書き換えられた画像を保持するために電力を必要とする第１の表示部と、前記第１の表示部へのユーザによる操作を検出する操作検出部と、前記第１の面とは異なる第２の面に設けられ、書き換えられた画像を保持するための電力を前記第１の表示部と比較して必要としない第２の表示部と、前記第１の表示部および前記第２の表示部を制御する制御部と、を備える。ここで、前記制御部は、前記操作に応じた画像を前記第１の表示部に表示するとともに、前記操作検出部により前記操作が所定時間検出されない場合に前記第１の表示部を消灯し、前記第１の表示部の消灯時にユーザにより見られ得る所定の情報を前記第２の表示部に表示する。
【０００８】
本発明に係る携帯端末装置において、前記所定の情報は、時刻情報、カレンダー情報、天気情報、メモ情報の少なくとも１つを含み得る。
【０００９】
本発明に係る携帯端末装置において、前記制御部は、ユーザが前記所定の情報を設定するための設定操作が行われる画面を前記第１の表示部に表示し、前記操作検出部により前記設定操作が検出されたことに応じて、設定された前記所定の情報を前記第２の表示部に
表示するような構成とされ得る。
【００１０】
上記のような構成とされた場合、前記制御部は、前記設定操作が行われる画面として、複数の候補の中から前記所定の情報を選択するための情報選択画面を前記第１の表示部に表示するような構成とされ得る。
【００１１】
また、上記のような構成とされた場合、前記制御部は、前記設定操作が行われる画面として、設定ボタンが設けられたアプリケーションの実行画面を前記第１の表示部に表示し、前記操作検出部により前記設定ボタンへの操作が検出されると、前記実行画面に表された情報を前記所定の情報として前記第２の表示部に表示するような構成とされ得る。
【００１２】
本発明に係る携帯端末装置は、バッテリー残量を検出する残量検出部を、さらに備えるような構成とされ得る。この場合、前記制御部は、前記バッテリー残量が所定量より低下した場合に、前記バッテリー残量がなくなった状態でも表示を維持する情報として予め定められた情報を、前記所定の情報として前記第２の表示部に表示する。
【００１３】
本発明に係る携帯端末装置は、情報を受信する受信部を、さらに備えるような構成とされ得る。この場合、前記制御部は、前記受信部により災害情報を受信した場合に、当該災害情報を前記所定の情報として前記第２の表示部に表示する。
【００１４】
本発明に係る携帯端末装置は、前記第２の面が前記第１の面に背向するような構成とされ得る。
【発明の効果】
【００１５】
本発明によれば、電力消費を抑えつつ、ユーザが容易に情報を得ることが可能な携帯端末装置を提供することができる。
【００１６】
本発明の効果ないし意義は、以下に示す実施形態の説明によりさらに明らかとなろう。ただし、以下の実施形態は、あくまでも、本発明を実施化する際の一つの例示であって、本発明は、以下の実施形態に記載されたものに何ら制限されるものではない。
【図面の簡単な説明】
【００１７】
【図１】実施の形態に係る、携帯電話機の構成を示す図である。
【図２】実施の形態に係る、携帯電話機の全体構成を示すブロック図である。
【図３】実施の形態に係る、ホーム画面が表示された第１ディスプレイおよび情報表示画面が表示された第２ディスプレイを示す図である。
【図４】実施の形態に係る、ロック機能の設定に係る処理を示すフローチャートである。
【図５】実施の形態に係る、情報設定アプリケーションに係る処理を示すフローチャートである。
【図６】実施の形態に係る、情報選択画面の一例を示す図である。
【図７】実施の形態に係る、情報レイアウト画面の一例を示す図である。
【図８】実施の形態に係る、消去ボタンが操作されたときの第１ディスプレイと第２ディスプレイの表示状態を示す図である。
【図９】変更例１に係る、情報取得対象リストを示す図である。
【図１０】変更例１に係る、第２ディスプレイに表示される情報を設定するための設定処理を示すフローチャートである。
【図１１】変更例１に係る、第２ディスプレイに表示される情報が、メモ帳のアプリケーションにおけるメモ作成画面上で設定される例を示す図である。
【図１２】変更例１に係る、第２ディスプレイに表示される情報が、天気予報のアプリケーションにおける天気予報画面上で設定される例を示す図である。
【図１３】変更例２に係る、第２ディスプレイへの表示処理について説明するための図である。
【図１４】変更例２に係る、第２ディスプレイへの表示処理について説明するための図である。
【図１５】その他の変更例に係る、第２ディスプレイに表示された情報表示画面を示す図である。
【図１６】その他の変更例に係る、携帯電話機の構成を示す図である。
【発明を実施するための形態】
【００１８】
以下、本発明の実施形態について、図面を参照して説明する。
【００１９】
図１（ａ）、（ｂ）、（ｃ）は、それぞれ、携帯電話機１の正面図、背面図および右側面図である。以下、説明の便宜上、図１（ａ）〜（ｃ）に示すように、キャビネット２の長手方向を上下方向と定義し、キャビネット２の短手方向を左右方向と定義する。
【００２０】
図１に示されるように、携帯電話機１は、キャビネット２と、第１ディスプレイ３と、タッチパネル４と、マイクロフォン５と、通話スピーカ６と、第２ディスプレイ７と、外部スピーカ８を備えている。
【００２１】
キャビネット２は、正面から見て、ほぼ長方形の輪郭を有する。キャビネット２の正面には、第１ディスプレイ３が設けられている。第１ディスプレイ３は、当該ディスプレイに表示された画像を書き換えるために電力を必要するとともに書き換えられた画像を保持するために電力を必要とするタイプのディスプレイである。第１ディスプレイ３は、たとえば、液晶ディスプレイである。第１ディスプレイ３は、液晶ディスプレイ以外のディスプレイ、たとえば、有機ＥＬディスプレイであってもよい。第１ディスプレイ３は、カラーディスプレイである。
【００２２】
キャビネット２の正面には、第１ディスプレイ３を覆うように、タッチパネル４が配置されている。タッチパネル４は、透明なシート状に形成されている。タッチパネル４として、静電容量式、超音波式、感圧式、抵抗膜式、光検知式等、各種方式のタッチパネルが用いられ得る。
【００２３】
キャビネット２の内部には、下端部にマイクロフォン５が配されている。マイクロフォン５は、キャビネット２の正面に形成されたマイク孔５ａを通過した音声を受け付ける。マイクロフォン５は、入力された音に応じた電気信号を生成する。また、キャビネット２の内部には、上端部に通話スピーカ６が配されている。通話スピーカ６は、音を出力する。出力された音声は、キャビネット２の正面に形成された出力孔６ａを通過してキャビネット２の外に放出される。通話の際には、通信先の機器（携帯電話機等）から受信された受話音声が通話スピーカ６から出力され、ユーザが発した発話音声がマイクロフォン５に入力される。なお、音は、音声、報知音等、様々な音を含む。
【００２４】
キャビネット２の背面には、第２ディスプレイ７が設けられている。第２ディスプレイ７は、第１ディスプレイ３とほぼ同じ大きさを有する。第２ディスプレイ７は、当該ディスプレイに表示された画像を書き換えるためには電力を必要するが、書き換えられた画像を保持するために電力を必要としないタイプのディスプレイである。第２ディスプレイ７は、たとえば、電子ペーパーディスプレイである。第２ディスプレイ７は、電子ペーパーディスプレイ以外のディスプレイ、たとえば、メモリ性液晶ディスプレイであってもよい。第２ディスプレイ７は、白黒ディスプレイであってもよいし、カラーディスプレイであってもよい。
【００２５】
なお、画像の書き換え速度および解像度は、第２ディスプレイ７に比べて、第１ディスプレイ３が高い。
【００２６】
キャビネット２の内部には、外部スピーカ８が配されている。キャビネット２の背面には、外部スピーカ８と対向する領域に出力孔８ａが形成されている。外部スピーカ８から出力された音は、出力孔８ａを通過してキャビネット２の外に放出される。
【００２７】
図２は、携帯電話機１の全体構成を示すブロック図である。
【００２８】
図２に示されるように、携帯電話機１は、制御部１１と、記憶部１２と、第１画像出力部１３と、第２画像出力部１４と、タッチ検出部１５と、音声入力部１６と、音声出力部１７と、音声処理部１８と、キー入力部１９と、通信部２０と、電源部２１とを備えている。
【００２９】
記憶部１２は、ＲＯＭ、ＲＡＭ、外部メモリを含む。記憶部１２には、各種のプログラムが記憶されている。記憶部１２に記憶されるプログラムは、携帯電話機１の各部を制御するための制御プログラムの他、各種アプリケーション（たとえば、ホーム、電話、電子メール、ウェブブラウザ、地図、ゲーム、スケジュール管理、等）を含む。プログラムは、メーカによって携帯電話機１の製造時に記憶部１２に記憶される他、ユーザによって通信網やメモリカード、ＣＤ−ＲＯＭ等の記憶媒体を介して記憶部１２に記憶される。
【００３０】
記憶部１２には、プログラムの実行の際、一時的に利用または生成されるデータを記憶するワーキング領域も含まれる。
【００３１】
制御部１１は、ＣＰＵを含む。制御部１１は、記憶部１２に記憶されたプログラムに従って、携帯電話機１を構成する各部（記憶部１２、第１画像出力部１３、第２画像出力部１４、タッチ検出部１５、音声入力部１６、音声出力部１７、音声処理部１８、キー入力部１９、通信部２０等）を制御する。
【００３２】
第１画像出力部１３は、図１（ａ）に示す第１ディスプレイ３を含む。第１画像出力部１３は、制御部１１からの制御信号と画像信号に基づき、第１ディスプレイ３に画像（画面）を表示する。
【００３３】
第２画像出力部１４は、図１（ｂ）に示す第２ディスプレイ７を含む。第２画像出力部１４は、制御部１１からの制御信号と画像信号に基づき、第２ディスプレイ７に画像（画面）を表示する。
【００３４】
タッチ検出部１５は、図１（ａ）に示すタッチパネル４を含む。タッチ検出部１５は、第１ディスプレイ３へのユーザによるタッチ操作を、タッチパネル４により検出する。すなわち、タッチ検出部１５は、ユーザが第１ディスプレイ３の領域内を触れた場合に、タッチパネル４を用いて、ユーザが触れた位置（以下、「タッチ位置」と称する）を検出する。タッチ検出部１５は、検出したタッチ位置に基づいて生成された位置信号を制御部１１へ出力する。
【００３５】
ユーザは、第１ディスプレイ３上にタッチパネル４が設けられるため、第１ディスプレイ３を指で触れることにより様々なタッチ操作を行うことができる。タッチ操作は、たとえば、タップ操作、フリック操作、スライド操作、ドラッグ操作等を含む。タップ操作とは、ユーザが第１ディスプレイ３に指を接触させた後、短時間のうちに指を第１ディスプレイ３から離す操作である。フリック操作とは、ユーザが第１ディスプレイ３に指を接触させた後、第１ディスプレイ３を指で任意の方向に弾く操作である。スライド操作とは、
ユーザが第１ディスプレイ３に指を接触させたまま、任意の方向へ指を移動させる操作である。ドラッグ操作とは、ユーザがアイコン等の移動対象物に対するスライド操作を行った後、第１ディスプレイ３から指を離す操作である。
【００３６】
たとえば、タッチ検出部１５がタッチ位置を検出した場合に、タッチ位置が検出されてから予め定められた第１時間以内にタッチ位置が検出されなくなると、制御部１１は、タッチ操作をタップ操作と判定する。タッチ位置が検出されてから予め定められた第２時間以内に予め定められた第１距離以上タッチ位置が移動した後、タッチ位置が検出されなくなった場合、制御部１１は、タッチ操作をフリック操作と判定する。タッチ位置が検出された後、予め定めた第２距離以上タッチ位置が移動すると、制御部１１は、タッチ操作をスライド操作と判定する。
【００３７】
音声入力部１６は、マイクロフォン５を含む。音声入力部１６は、マイクロフォン５からの電気信号を音声処理部１８へ出力する。
【００３８】
音声出力部１７は、通話スピーカ６および外部スピーカ８を含む。音声出力部１７には、音声処理部１８からの電気信号が入力される。音声出力部１７は、通話スピーカ６または外部スピーカ８から音を出力させる。
【００３９】
音声処理部１８は、音声入力部１６からの電気信号にＡ／Ｄ変換等を施し、変換後のデジタルの音声信号を制御部１１へ出力する。音声処理部１８は、制御部１１からのデジタルの音声信号にデコード処理およびＤ／Ａ変換等を施し、変換後の電気信号を音声出力部１７に出力する。
【００４０】
キー入力部１９は、少なくとも１つ以上のハードキー（図示せず）を含む。たとえば、キー入力部１９は、携帯電話機１に電源を投入するための電源キーなどを含む。キー入力部１９は、携帯電話機１に配された各種ハードキーのうち、少なくとも一つのキーが押下されたときに、押下されたハードキーに対応する信号を制御部１１に出力する。
【００４１】
通信部２０は、通話や通信を行うため、信号を変換するための回路、電波を送受信するアンテナ等を備える。通信部２０は、制御部１１から入力される通話や通信のための信号を無線信号に変換し、変換された無線信号を、アンテナを介して基地局や他の通信装置等の通信先へ送信する。さらに、通信部２０は、アンテナを介して受信した無線信号を制御部１１が利用できる形式の信号へ変換し、変換された信号を制御部１１へ出力する。
【００４２】
電源部２１は、バッテリー２１ａおよび残量検出部２１ｂを含む。電源部２１は、バッテリー２１ａの電力を制御部１１および制御部１１以外の各部に供給する。また、電源部２１は、外部電源からの電力をバッテリー２１ａに供給して、バッテリー２１ａを充電する。さらに、電源部２１は、残量検出部２１ｂにより検出されたバッテリー２１ａの残量に応じた検出信号を制御部１１に出力する。
【００４３】
制御部１１は、上述のように、各種のアプリケーションを実行する。アプリケーションが起動されると、制御部１１は、第１画像出力部１３を制御することにより、アプリケーションの実行画面を第１ディスプレイ３に表示する。実行画面は、ユーザによるタッチ操作の対象となるオブジェクトを含む。
【００４４】
図３（ａ）は、ホームのアプリケーションが実行され、第１ディスプレイ３にホーム画面が表示された例を示す図である。図３（ａ）に示すように、ホーム画面には、各種のアプリケーションを起動するため、各アプリケーションに対応する起動用アイコン１０１が複数配列される。ユーザが何れかの起動用アイコン１０１へタップ操作を行うと、制御部
１１は、操作された起動用アイコン１０１に対応するアプリケーションを起動し、起動したアプリケーションの実行画面を第１ディスプレイ３に表示する。
【００４５】
たとえば、電話のアプリケーションの場合、第１ディスプレイ３に電話を掛けるためのダイヤル画面が表示される。ギャラリーのアプリケーションの場合、第１ディスプレイ３に写真の閲覧するための閲覧画面が表示される。動画プレーヤのアプリケーションの場合、第１ディスプレイ３に動画を再生するための再生画面が表示される。
【００４６】
また、ホーム画面の上部には、通知バー１０２が配される。通知バー１０２は、現在時刻、バッテリー残量を示す残量メータ、電波の強度を示す強度メータ等を含む。さらに、ホーム画面の下部には、操作キー群１０３が配される。操作キー群１０３は、設定キー１０３ａ、ホームキー１０３ｂ、およびバックキー１０３ｃから構成されている。設定キー１０３ａは、主に、各種設定を行う設定画面を第１ディスプレイ３に表示させるためのキーである。ホームキー１０３ｂは、主に、第１ディスプレイ３の表示を他の画面からホーム画面に移行させるためのキーである。バックキー１０３ｃは、主に、実行された処理を１ステップ前の処理に戻すためのキーである。
【００４７】
制御部１１は、第２画像出力部１４を制御することにより、情報表示画面を第２ディスプレイ７に表示する。情報表示画面は、ユーザに与えられるべき各種の情報、即ち、これら各種の情報を示す情報画像１０４を含む。第２ディスプレイ７に表示される情報として、たとえば、時刻情報、天気予報情報、カレンダー情報、メモ情報等が挙げられる。図３（ｂ）は、情報画像１０４として、時刻情報を示す時刻画像１０４ａ、カレンダー情報を示すカレンダー画像１０４ｂ、天気予報情報を示す天気画像１０４ｃおよびメモ情報を示すメモ画像１０４ｄを含む情報表示画面が表示された第２ディスプレイ７を示す図である。
【００４８】
情報画像１０４は、主に、文字（数字、記号を含む）、単純な絵柄等により構成される。情報画像１０４には、良好な表示のために比較的高い書き換え速度や解像度が要求される写真および動画は含まれない。
【００４９】
たとえば、時刻画像１０４ａは、時間および分の単位からなる現在時刻が文字により表された画像である。カレンダー画像１０４ｂは、今日の日付にマークが付された今月のカレンダーが文字により表された画像である。天気画像１０４ｃは、今日の予想天気を示す絵柄および文字と、過去数日の天気を示す絵柄とにより表された画像である。メモ画像１０４ｄは、ユーザにより作成されたメモ書きからなる画像である。
【００５０】
制御部１１は、各情報に応じたタイミングでその情報に対応する情報画像１０４を更新する。たとえば、制御部１１は、時刻画像１０４ａを、１分が経過したタイミングで更新する。また、制御部１１は、カレンダー画像１０４ｂを日付が変わったタイミングで更新する。制御部１１は、天気予報のアプリケーションにより外部の天気予報サイトから新たな天気予報の情報が取得されたタイミングで天気画像１０４ｃを更新する。制御部１１は、ユーザにより第２ディスプレイ７に表示するための新たなメモ書きがメモ帳のアプリケーション等を用いて作成されたタイミングでメモ画像１０４ｄを更新する。
【００５１】
制御部１１は、携帯電話機１が使用されていない状況になると、誤操作防止と電力消費抑制のためロック機能を設定する。
【００５２】
図４は、ロック機能の設定に係る処理を示すフローチャートである。
【００５３】
制御部１１は、第１ディスプレイ３へのタッチ操作およびハードキーへのキー操作がユ
ーザにより行われた場合（Ｓ１０１：ＹＥＳ）、内部のタイマーによる時間の計測を開始する（Ｓ１０２）。制御部１１は、計測時間が制限時間を経過したか否かを判定する（Ｓ１０３）。制限時間が経過する前に次のタッチ操作またはキー操作があると、制御部１１は、タイマーをリセットし、再び時間の計測を開始する（Ｓ１０３：ＮＯ→Ｓ１０１：ＹＥＳ→Ｓ１０２）。一方、制御部１１は、次のタッチ操作およびキー操作が行われないまま、計測時間が制限時間を経過すると（Ｓ１０３：ＹＥＳ）、携帯電話機１が使用されなくなったと看做し、ロック機能を設定する（Ｓ１０４）。制御部１１は、第１ディスプレイ３への電力供給を停止することによって第１ディスプレイ３を消灯する（Ｓ１０５）。これにより、第１ディスプレイ３に表示されていた実行画面が消える。一方、制御部１１は、制限時間が経過しても、制限時間の経過に応じた第２ディスプレイ７への制御は行わない。これにより、第２ディスプレイ７では、情報表示画面が表示された状態が維持される。第２ディスプレイ７は、画像の保持に電力を必要としないため、第２ディスプレイ７での表示に係る消費電力は、情報画像１０４の更新時の電力だけであり、わずかな電力に抑えられる。
【００５４】
ロック機能が設定されると、ユーザによる操作の受付が制限される。即ち、制御部１１は、ロック機能の設定を解除するための操作以外の操作を無効とする。
【００５５】
ユーザが所定の解除操作を行うと、制御部１１は、ロック機能の設定を解除する。制御部１１は、第１ディスプレイ３を点灯し、ロック機能が設定される前に表示されていた実行画面あるいはホーム画面を第１ディスプレイ３に表示する。さらに、制御部１１は、操作の制限を解除する。
【００５６】
携帯電話機１は、第２ディスプレイ７に表示される情報を設定するためのアプリケーション（以下、「情報設定アプリケーション」と称する）を備えている。図３（ａ）に示ように、情報設定アプリケーションに対応する起動用アイコン１０１ａが、ホーム画面の起動用アイコン１０１に含まれる。ユーザが起動用アイコン１０１ａへタップ操作を行うと、情報設定アプリケーションが起動する。
【００５７】
図５は、情報設定アプリケーションに係る処理を示すフローチャートである。図６は、情報選択画面の一例を示す図である。図７は、情報レイアウト画面の一例を示す図である。情報選択画面および情報レイアウト画面が、第２ディスプレイ７に表示される情報を設定するための設定画面である。図８は、消去ボタン１０７が操作されたときの第１ディスプレイ３と第２ディスプレイ７の表示状態を示す図である。
【００５８】
図５ないし図８を参照し、情報設定アプリケーションに係る処理について説明する。
【００５９】
制御部１１は、情報選択画面を第１ディスプレイ３に表示する（Ｓ２０１）。情報選択画面は、複数の候補の中から第２ディスプレイ７に表示する情報を選択するための画面である。図３に示すように、情報選択画面は、各候補に対応する選択用オブジェクト１０５を含む。図３の例では、候補となる情報として、「時刻」、「カレンダー」、「天気予報」、「メモ」、「ニュース」、「通知」の各情報が挙げられている。なお、「通知」の情報は、各種アプリケーションのアップデートに係る情報、電子メールの新規着信件数の情報、電話の不在着信件数の情報等である。
【００６０】
各選択用オブジェクト１０５は、設定レバー１０５ａを有する。初期状態では、候補となる各情報は全てオフに設定されており、図３（ａ）に示すように、全ての選択用オブジェクト１０５において、つまみ部１０５ｂが設定レバー１０５ａの右側の領域に位置している。このとき、設定レバー１０５ａには「ＯＦＦ」の表示がなされる。
【００６１】
制御部１１は、オフ設定された情報へオン設定操作がなされたか否かを判定する（Ｓ２０２）。オフ設定の情報をオンに設定する場合、オン設定操作として、ユーザはドラッグ操作によりつまみ部１０５ｂを設定レバー１０５ａの右側の領域から左側の領域へ移動させる。オン設定操作がなされると（Ｓ２０２：ＹＥＳ）、制御部１１は、操作がなされた情報をオンに設定する（Ｓ２０３）。なお、つまみ部１０５ｂが左側に位置すると、設定レバー１０５ａには「ＯＮ」の表示がなされる。
【００６２】
さらに、制御部１１は、オン設定された情報へオフ設定操作がなされたか否かを判定する（Ｓ２０４）。オン設定の情報をオフに設定する場合、オフ設定操作として、ユーザはドラッグ操作によりつまみ部１０５ｂを設定レバー１０５ａの左側の領域から右側の領域へ移動させる。オフ設定操作がなされると（Ｓ２０４：ＹＥＳ）、制御部１１は、操作された情報をオフに設定する（Ｓ２０５）。
【００６３】
図３（ｂ）に示す例では、「時刻」、「カレンダー」、「天気予報」および「メモ」の情報がオンに設定されており、「ニュース」および「通知」の情報がオフに設定されている。
【００６４】
情報選択画面は、決定ボタン１０６および消去ボタン１０７を含む。制御部１１は、決定ボタン１０６が操作されたか否か、および、消去ボタン１０７が操作されたか否かを判定する（Ｓ２０６、Ｓ２０７）。
【００６５】
ユーザは、第２ディスプレイ７に表示させる情報をオンに設定すると、決定ボタン１０６へタップ操作を行う。決定ボタン１０６が操作されると（Ｓ２０６：ＹＥＳ）、制御部１１は、情報レイアウト画面を第１ディスプレイ３に表示する（Ｓ２０８）。このとき、制御部１１は、オンに設定された各情報を、記憶部１２内における各情報が記憶されたファイル内から読み出し、各情報を示す情報画像１０４を生成し、生成した情報画像１０４を情報レイアウト画面上の初期位置に配置する。
【００６６】
図３（ｂ）のように、「時刻」、「カレンダー」、「天気予報」および「メモ」の情報がオンに設定されている場合、図７（ａ）に示すように、時刻画像１０４ａ、カレンダー画像１０４ｂ、天気画像１０４ｃおよびメモ画像１０４ｄが情報レイアウト画面上の初期位置に配置される。
【００６７】
ユーザは、情報レイアウト画面上において、各情報画像１０４を所望の位置に配置できる。この場合、ユーザは、移動操作として、情報画像１０４へドラッグ操作を行い、情報画像１０４を所望の位置へ移動させる（図７（ａ）の破線矢印参照）。制御部１１は、情報レイアウト画面上において、何れかの情報画像１０４へ移動操作が行われると（Ｓ２０９：ＹＥＳ）、移動操作に応じて情報画像１０４を移動させる（Ｓ２１０）。図７（ｂ）は、ユーザにより、時刻画像１０４ａ、カレンダー画像１０４ｂ、天気画像１０４ｃおよびメモ画像１０４ｄが情報レイアウト画面上の所望の位置に配置された状態を示す。
【００６８】
情報レイアウト画面は、反映ボタン１０８を含む。制御部１１は、反映ボタン１０８が操作されたか否かを判定する（Ｓ２１１）。ユーザは、情報レイアウト画面上での各情報画像１０４の配置が完了すると、反映ボタン１０８へタップ操作を行う。
【００６９】
反映ボタン１０８が操作されると（Ｓ２１１：ＹＥＳ）、制御部１１は、図３（ｂ）に示すように、情報レイアウト画面上での配置と同じ状態で各情報画像１０４が配置された情報表示画面を第２ディスプレイ７に表示する（Ｓ２１２）。このとき、制御部１１は、各情報画像１０４の解像度や色を、第２ディスプレイ７に適する解像度や色に適宜変換する。第２ディスプレイ７における各情報画像１０４の大きさは、第１ディスプレイ３に表
示されていた各情報画像１０４の大きさと同じである。
【００７０】
さらに、制御部１１は、第１ディスプレイ３の情報レイアウト画面を閉じ（Ｓ２１３）、情報設定アプリケーションを終了させる。第１ディスプレイ３には、ホーム画面が再び表示される。
【００７１】
ユーザは、第２ディスプレイ７に表示される情報を変更したい場合には、情報設定アプリケーションを起動し、情報選択画面において、各情報のオン・オフ設定を変更する。一方、ユーザは、第２ディスプレイ７に表示された情報を全て消去したい場合、情報選択画面の消去ボタン１０７へタップ操作を行う。消去ボタン１０７が操作されると（Ｓ２０７：ＹＥＳ）、制御部１１は、全ての情報をオフに設定し（Ｓ２１４）、第２ディスプレイ７の全て情報画像１０４を消去する（Ｓ２１５）。
【００７２】
図８（ａ）に示すように、全ての選択用オブジェクト１０５において、設定レバー１０５ａがオフの状態となる。さらに、図８（ｂ）に示すように、第２ディスプレイ７が無表示の状態となる。
【００７３】
なお、図７および図８に示すように、情報選択画面の下部および情報レイアウト画面の下部には、それぞれ、操作キー群１０３が配されている。情報選択画面において、ユーザがバックキー１０３ｃへタップ操作を行うと、制御部１１は、第１ディスプレイ３の表示を１つ前の状態に戻し、第１ディスプレイ３にホーム画面を表示する。また、情報レイアウト画面において、ユーザがバックキー１０３ｃへタップ操作を行うと、制御部１１は、第１ディスプレイ３の表示を１つ前の状態に戻し、第１ディスプレイ３に情報選択画面を表示する。
【００７４】
以上、本実施の形態によれば、時刻情報、天気情報等、ユーザが頻繁に確認したいちょっとした情報を第２ディスプレイ７に表示させることができるので、携帯電話機１への操作が行われない状況となって第１ディスプレイ３が消灯されても、ユーザは、これらちょっとした情報を容易に確認できる。しかも、第２ディスプレイ７は、画像を保持するために電力を必要としないので、第２ディスプレイ７に情報を表示させ続けても、第１ディスプレイ３を消灯させることによる電力消費の抑制効果を維持することができる。
【００７５】
よって、ユーザが携帯電話機１を裏返して、すなわち第１ディスプレイ３を伏せた状態で机の上等に置いておけば、携帯電話機１の電力消費を抑えつつ、必要な情報は第２ディスプレイ７を利用して容易に確認することができる。
【００７６】
さらに、本実施の形態によれば、ユーザは、第１ディスプレイ３を用いて第２ディスプレイ７に表示される情報（情報画像１０４）の設定およびレイアウトの操作を行い、レイアウトされた各情報を第２ディスプレイ７に表示することができる。よって、第２ディスプレイ７に対する操作を検出するタッチパネルをキャビネット２の背面側に設ける必要がない。また、画像の書き換え速度が速い第１ディスプレイ３において情報の設定およびレイアウトの操作ができるので、かかる操作を円滑に行うことができる。
【００７７】
さらに、上記実施の形態によれば、第２ディスプレイ７が第１ディスプレイ３とほぼ同じ大きさであるので、第２ディスプレイ７に情報（情報画像１０４）を大きく表示することができ、ユーザが情報を確認し易い。
【００７８】
以上、本発明の実施の形態について説明したが、本発明は、上記実施の形態等によって何ら制限されるものではなく、また、本発明の実施の形態も、上記以外に種々の変更が可能である。
【００７９】
＜変更例１＞
変更例１では、予め決められたアプリケーションが実行された際、当該アプリケーションの実行画面上で、ユーザが第２ディスプレイ７に表示される情報を設定することができる。
【００８０】
本変更例では、記憶部１２に、図９に示す情報取得対象リストが記憶されている。情報取得対象リストには、メモ帳のアプリケーション、天気予報のアプリケーション、カレンダーのアプリケーション等、第２ディスプレイ７に表示される情報が取得される対象となるアプリケーションが予め登録されている。
【００８１】
図１０は、本変更例に係る、第２ディスプレイ７に表示される情報を設定するための設定処理を示すフローチャートである。
【００８２】
制御部１１は、何れかのアプリケーションが起動されると（Ｓ３０１：ＹＥＳ）、起動されたアプリケーションが情報取得対象リストに登録されているか否かを判定する（Ｓ３０２）。制御部１１は、起動されたアプリケーションが情報取得対象リストに登録されていれば（Ｓ３０２：ＹＥＳ）、第１ディスプレイ３に表示された実行画面に反映ボタンを表示する（Ｓ３０３）。制御部１１は、反映ボタンが操作されると（Ｓ３０４：ＹＥＳ）、実行画面に含まれた情報を取得し（Ｓ３０５）、取得した情報を示す情報画像１０４を第２ディスプレイ７に表示する（Ｓ３０６）。制御部１１は、アプリケーションが終了すれば（Ｓ３０７：ＹＥＳ）、設定処理を終了する。
【００８３】
図１１は、第２ディスプレイ７に表示される情報が、メモ帳のアプリケーションにおけるメモ作成画面上で設定される例を示す図である。
【００８４】
図１１（ａ）に示すように、メモ作成画面には、メモ作成領域１１０および保存ボタン１１１に加えて、反映ボタン１１２が配される。メモ作成領域１１０に作成されたメモ書きを第２ディスプレイ７に反映させる場合に、ユーザは、反映ボタン１１２へタップ操作を行う。これにより、図１１（ｂ）に示すように、第２ディスプレイ７に、メモ書きが載せられたメモ作成領域１１０を含む情報表示画面が表示される。なお、ユーザが保存ボタン１１１へタップ操作を行うと、メモ作成領域１１０のメモ書きが記憶部１２の所定ファイルに記憶される。
【００８５】
図１２は、第２ディスプレイ７に表示される情報が、天気予報のアプリケーションにおける天気予報画面上で設定される例を示す図である。
【００８６】
図１２（ａ）に示すように、天気予報画面には、天気予報画像１１３に加えて、反映ボタン１１２が配される。天気予報を第２ディスプレイ７に反映させる場合に、ユーザは、反映ボタン１１２へタップ操作を行う。これにより、図１２（ｂ）に示すように、第２ディスプレイ７には、天気予報画像１１３を含む情報表示画面が表示される。
【００８７】
なお、本変更例において、ユーザが所定の設定画面を用いて所望のアプリケーションを情報取得対象リストに登録できてもよい。
【００８８】
以上、本変更例によれば、ユーザは、第２ディスプレイ７に表示される情報を、アプリケーションの実行画面を用いて容易に設定することができる。
【００８９】
＜変更例２＞
変更例２では、バッテリー残量がわずかとなった場合に、携帯電話機１が使用できない
状況となった際に必要となり得る情報が、第２ディスプレイ７に表示される。バッテリー残量がわずかとなった場合、災害等の発生によりバッテリー２１ａが充電できない状況となっている可能性がある。このため、災害等の発生時にユーザが利用可能となるように、たとえば、携帯電話機１の所有者に係る情報（名前、血液型等）、携帯電話機１の電話番号、緊急連絡先の電話番号等の緊急情報が、記憶部１２の緊急ファイルに記憶されている。これら緊急情報は、たとえば、ユーザにより予め所定の設定画面を用いて設定され、緊急ファイルに登録される。
【００９０】
図１３（ａ）は、本変更例に係る、第２ディスプレイ７への表示処理を示すフローチャートである。図１３（ｂ）は、バッテリー残量がわずかになった際に第２ディスプレイ７に表示される情報表示画面を示す図である。
【００９１】
制御部１１は、残量検出部２１ｂからバッテリー残量を取得し（Ｓ４０１）、取得したバッテリー残量が所定量（たとえば、１％）より低下したか否かを判定する（Ｓ４０２）。
【００９２】
バッテリー残量が所定量より低下すると（Ｓ４０２：ＹＥＳ）、制御部１１は、緊急ファイルから情報を読み出し（Ｓ４０３）、読み出した情報、即ち、読み出した情報を含む緊急時の情報表示画面を、これまで表示されていた情報表示画面（たとえば、図３（ｂ）の情報表示画面）に替えて、第２ディスプレイ７に表示する（Ｓ４０４）。図１４（ｂ）に示すように、第２ディスプレイ７には、たとえば、携帯電話機１の所有者の名前、血液型、携帯電話機１の電話番号、緊急連絡先である友人、職場の電話番号が表示される。
【００９３】
こうして、その後、バッテリー残量がゼロとなり、携帯電話機１が停止しても、第２ディスプレイ７の情報表示画面の表示は維持される。よって、ユーザは、携帯電話機１が使用できない状況下でも、必要に応じて、第２ディスプレイ７に表示された緊急情報を確認することができる。
【００９４】
ユーザによってバッテリー２１ａが充電され、電源部２１から制御部１１へ電力が供給されると、制御部１１は、バッテリー残量が所定量より低下する前に表示されて情報表示画面を第２ディスプレイ７に表示する。携帯電話機１が使用できる状態になると、所有者の名前等、個人情報が含まれる緊急時の情報表示画面が消去されるので、個人情報の保護が図れる。
【００９５】
なお、ユーザの操作により、本変更例の表示処理を行うか否かが設定できることが望ましい。
【００９６】
さらに、バッテリー残量が所定量より低下した際に第２ディスプレイ７に表示される情報は、上記のような緊急情報でなくともよい。携帯電話機１が使用できない状況下においても表示が維持されるとよい情報が第２ディスプレイ７に表示されればよい。
【００９７】
＜変更例３＞
変更例３では、外部から受信した災害情報が第２ディスプレイ７に表示される。
【００９８】
図１４（ａ）は、本変更例に係る、第２ディスプレイ７への表示処理を示すフローチャートである。図１４（ｂ）は、災害情報を含む情報表示画面が表示された第２ディスプレイ７を示す図である。
【００９９】
予め災害情報を通報する所定の通報機関にユーザが所定の登録を行うことにより、災害発生時に当該通報機関から災害情報が携帯電話機１に送信される。
【０１００】
制御部１１は、通信部２０に外部から情報が受信されると（Ｓ５０１：ＹＥＳ）、発信元のアドレス等に基づいて、受信された情報が災害情報であるか否かを判定する（Ｓ５０２）。受信された情報が災害情報であれば（Ｓ５０２：ＹＥＳ）、制御部１１は、災害情報を含む情報表示画面を、これまで表示されていた情報表示画面（たとえば、図３（ｂ）の情報表示画面）に替えて、第２ディスプレイ７に表示する（Ｓ５０３）。図１５（ｂ）に示すように、第２ディスプレイ７には、たとえば、災害が地震であれば、地震発生地、震度、避難所、緊急連絡先、避難所および緊急連絡先を示す地図が表示される。
【０１０１】
このように、本変更例では、携帯電話機１が使用されずロック機能が設定された場合であっても、ユーザは災害情報を容易に確認できる。また、バッテリー残量がゼロとなり携帯電話機１が使用できない状態となっても、ユーザは災害情報を確認できる。
【０１０２】
第２ディスプレイ７に災害情報が表示されている状態において、ユーザが、情報設定アプリケーションを起動して新たな情報の設定を行うと、災害情報に替わって新たに設定された情報が第２ディスプレイ７に表示される。
【０１０３】
なお、ユーザの操作により、本変更例の表示処理を行うか否かが設定できることが望ましい。
【０１０４】
＜その他の変更例＞
図１５は、その他の変更例に係る、第２ディスプレイ７に表示された情報表示画面を示す図である。
【０１０５】
図１５（ａ）に示すように、電話の不在着信があった場合に、情報表示画面上に電話の不在着信を示すアイコン１２１が表れてもよい。また、電子メールが受信された場合に、情報表示画面上に電子メールの新規着信を示すアイコン１２２が表れてもよい。さらに、時刻情報を示す時刻画像１０４ａ、カレンダー情報を示すカレンダー画像１０４ｂ等のように機能的な情報でなく、図１５（ｂ）に示すように、ロゴマークや絵柄等、機能的でない画像１２３が第２ディスプレイ７に表示されてもよい。
【０１０６】
上記実施の形態では、キャビネット２の正面および背面に、それぞれ第１ディスプレイ３および第２ディスプレイ７が設けられた。しかしながら、キャビネット２の正面および背面に、それぞれ第２ディスプレイ７および第１ディスプレイ３が設けられてもよい。
【０１０７】
また、上記実施の形態では、第２ディスプレイ７が第１ディスプレイ３とほぼ同じ大きさであるが、第２ディスプレイ７は、第１ディスプレイ３より大きくても小さくてもよい。
【０１０８】
さらに、上記実施の形態の携帯電話機１は、１つのキャビネット２に第１ディスプレイ３および第２ディスプレイ７が設けられた。しかしながら、本発明は、上記実施の形態と異なるタイプの携帯電話機に適用できる。
【０１０９】
図１６は、その他の変更例に係る、携帯電話機１Ａの構成を示す図である。携帯電話機１Ａは、第１キャビネット２Ａと、第１キャビネット２Ａに対して上下方向にスライド可能な第２キャビネット２Ｂを備える。第１キャビネット２Ａには第１ディスプレイ３およびタッチパネル４が設けられ、第２キャビネット２Ｂには第２ディスプレイ７が設けられる。図１６（ｂ）に示すように、携帯電話機１Ａが閉じた状態では、第１ディスプレイ３のみが外部に現れる。図１６（ａ）および（ｃ）に示すように、携帯電話機１Ａが開かれると、第１ディスプレイ３および第２ディスプレイ７の双方が外部に現れる。
【０１１０】
さらに、上記実施の形態では、情報設定アプリケーションに係る処理において、各情報画像１０４が自由に配置できるように情報レイアウト画面が表示された。しかしながら、必ずしも情報レイアウト画面が表示されなくてもよい。この場合、情報選択画面には決定ボタン１０６に替えて反映ボタン１０８が設けられる。反映ボタン１０８が操作されると、予め決められた位置に各情報画像１０４が配置された情報表示画面が第２ディスプレイ７に表示される。
【０１１１】
さらに、上記実施の形態では、第２ディスプレイ７は、画像の保持に電力を必要としないものであったが、画像の保持に必要な電力が少なくとも第１ディスプレイ３と比較して小さいものであればよい。たとえば、第１ディスプレイ３が一般的な液晶ディスプレイであって、第２ディスプレイ７が電子ペーパーディスプレイであるといったように、第１ディスプレイ３と第２ディスプレイ７は、ディスプレイの種類が異なり、第２ディスプレイ７は、第１ディスプレイ３と比較して、画像の保持に必要な電力が小さいものであればよい。また、この場合、第２ディスプレイ７は、画像の保持に必要な単位面積当たりの電力が少なくとも第１ディスプレイ３と比較して小さいといえる。
【０１１２】
本実施の形態および変更例１ないし変更例３の各構成は、適宜、組み合わせることができる。
【０１１３】
本発明は、携帯電話機に限られず、ＰＤＡ（Personal DigitalAssistant）、タブレットＰＣ（Tablet PC）、電子書籍端末等の各種の携帯端末装置に適用可能である。
【０１１４】
この他、本発明の実施形態は、特許請求の範囲に示された技術的思想の範囲内において、適宜、種々の変更が可能である。
【符号の説明】
【０１１５】
３  第１ディスプレイ（第１の表示部）
４  タッチパネル（操作検出部）
７  第２ディスプレイ（第２の表示部）
１１  制御部
２１ｂ  残量検出部
２０  通信部（受信部）
１１２  反映ボタン（設定ボタン）
【図１】
2014165703.tif 000003
【図２】
2014165703.tif 000004
【図３】
2014165703.tif 000005
【図４】
2014165703.tif 000006
【図５】
2014165703.tif 000007
【図６】
2014165703.tif 000008
【図７】
2014165703.tif 000009
【図８】
2014165703.tif 000010
【図９】
2014165703.tif 000011
【図１０】
2014165703.tif 000012
【図１１】
2014165703.tif 000013
【図１２】
2014165703.tif 000014
【図１３】
2014165703.tif 000015
【図１４】
2014165703.tif 000016
【図１５】
2014165703.tif 000017
【図１６】
2014165703.tif 000018